【手続補正書】
【提出日】平成16年8月31日(2004.8.31)
【手続補正１】
【補正対象書類名】明細書
【補正対象項目名】請求項６
【補正方法】変更
【補正の内容】
【請求項６】
ピクチャタイプに応じて画面を並べ替えた後量子化および直交変換により符号化された画像符号化データを取り込み、逆量子化および逆直交変換を行うことにより画像データを生成して出力する逆変換手段と、
ピクチャタイプがフレーム内符号化画面および前方向予測符号化画面の画像復号データを格納する２つの格納領域を含むメモリ手段と、
前記逆変換手段からフレーム内符号化画面の画像データが出力されたとき、該画像データを画像復号データとして前記メモリ手段の格納領域に格納し、前方向予測符号化画面の画像データが出力されたとき、該前方向予測符号化画面の前方に位置するフレーム内符号化画面または前方向予測符号化画面の画像復号データを前記メモリ手段の一方の格納領域から読み出して前記画像データに加算することにより画像復号データを得て前記メモリ手段の他方の格納領域に格納し、ピクチャタイプが双方向予測符号化画面の画像データが出力されたとき、前記メモリ手段の２つの格納領域から画像復号データを読み出して平均値を算出し、該平均値を前記画像データに加算することにより画像復号データを得て出力する加算手段と、
前記メモリ手段の格納領域に格納されているフレーム内符号化画面または前方向予測符号化画面の画像復号データを選択して読み出し、一時記憶の後所定のタイミングで読み出してラスタスキャンデータにするタイミング調整手段と、
前記加算手段から出力される双方向予測符号化画面の復号データをラスタスキャンデータにする復号画像変換手段とを含むことを特徴とする復号画像変換装置。
【手続補正２】
【補正対象書類名】明細書
【補正対象項目名】請求項１１
【補正方法】変更
【補正の内容】
【請求項１１】
ピクチャタイプに応じて画面を並べ替えた後量子化および直交変換により符号化された画像符号化データを取り込み、逆量子化および逆直交変換を行い画像復号データを得る逆変換工程と、
ピクチャタイプがフレーム内符号化画面および前方向予測符号化画面の画像復号データをメモリ手段の２つの格納領域に格納する格納工程と、
前記逆変換工程でフレーム内符号化画面の画像データが得られたとき、該画像データを画像復号データとして出力すると共に前記メモリ手段の格納領域に格納し、前方向予測符号化画面の画像データが得られたとき、該前方向予測符号化画面の前方に位置するフレーム内符号化画面または前方向予測符号化画面の画像復号データを前記メモリ手段の一方の格納領域から読み出して前記画像データに加算することにより画像復号データを得て出力すると共に前記メモリ手段の他方の格納領域に格納し、ピクチャタイプが双方向予測符号化画面の画像データが得られたとき、前記メモリ手段の２つの格納領域から画像復号データを読み出して平均値を算出し、該平均値を前記画像データに加算することにより画像復号データを得て出力する加算工程と、
該加算工程で得られた画像復号データをフレームイメージで水平方向に連続する水平方向画素データ列に分割し、該水平方向画像データ列に対して画像圧縮処理を行って圧縮画像データを得る画像圧縮工程と、
該画像圧縮工程で得られた圧縮画像データの内、ピクチャタイプがフレーム内符号化画面および前方向予測符号化画面の圧縮画像データをフレーム内符号化・前方向予測符号化ピクチャ用圧縮画像データ格納手段に格納するフレーム内符号化・前方向予測符号化ピクチャ用圧縮画像データ格納工程と、
前記画像圧縮工程で得られた圧縮画像データの内、ピクチャタイプが双方向予測符号化画面の圧縮画像データを双方向予測符号化ピクチャ用圧縮画像データ格納手段に格納する双方向予測符号化ピクチャ用圧縮画像データ格納工程と、
前記フレーム内符号化・前方向予測符号化ピクチャ用圧縮画像データ格納手段および前記双方向予測符号化ピクチャ用圧縮画像データ格納手段に格納されている圧縮画像データを元の画面順に取り込み、画像伸張処理を行ってラスタスキャンデータを得る画像伸張工程とを含むことを特徴とする復号画像変換方法。
【手続補正３】
【補正対象書類名】明細書
【補正対象項目名】請求項１２
【補正方法】変更
【補正の内容】
【請求項１２】
ピクチャタイプに応じて画面を並べ替えた後量子化および直交変換により符号化された画像符号化データを取り込み、逆量子化および逆直交変換を行い画像復号データを得る逆変換工程と、
ピクチャタイプがフレーム内符号化画面および前方向予測符号化画面の画像復号データをメモリ手段の２つの格納領域に格納する格納工程と、
前記逆変換工程でフレーム内符号化画面の画像データが得られたとき、該画像データを画像復号データとして前記メモリ手段の格納領域に格納し、前方向予測符号化画面の画像データが得られたとき、該前方向予測符号化画面の前方に位置するフレーム内符号化画面または前方向予測符号化画面の画像復号データを前記メモリ手段の一方の格納領域から読み出して前記画像データに加算することにより画像復号データを得て前記メモリ手段の他方の格納領域に格納し、ピクチャタイプが双方向予測符号化画面の画像データが得られたとき、前記メモリ手段の２つの格納領域から画像復号データを読み出して平均値を算出し、該平均値を前記画像データに加算することにより画像復号データを得て出力する加算工程と、
前記メモリ手段の格納領域に格納されているフレーム内符号化画面または前方向予測符号化画面の画像復号データを選択して読み出し、一時記憶の後所定のタイミングで読み出してラスタスキャンデータにするタイミング調整工程と、
前記加算工程で得られた双方向予測符号化画面の復号データをラスタスキャンデータにする復号画像変換工程とを含むことを特徴とする復号画像変換方法。
【手続補正４】
【補正対象書類名】明細書
【補正対象項目名】請求項１４
【補正方法】変更
【補正の内容】
【請求項１４】
ピクチャタイプに応じて画面を並べ替えた後量子化および直交変換により符号化された画像符号化データを取り込み、逆量子化および逆直交変換を行い画像復号データを得る逆変換手順と、
ピクチャタイプがフレーム内符号化画面および前方向予測符号化画面の画像復号データをメモリ手段の２つの格納領域に格納する格納手順と、
前記逆変換手順でフレーム内符号化画面の画像データが得られたとき、該画像データを画像復号データとして出力すると共に前記メモリ手段の格納領域に格納し、前方向予測符号化画面の画像データが得られたとき、該前方向予測符号化画面の前方に位置するフレーム内符号化画面または前方向予測符号化画面の画像復号データを前記メモリ手段の一方の格納領域から読み出して前記画像データに加算することにより画像復号データを得て出力すると共に前記メモリ手段の他方の格納領域に格納し、ピクチャタイプが双方向予測符号化画面の画像データが得られたとき、前記メモリ手段の２つの格納領域から画像復号データを読み出して平均値を算出し、該平均値を前記画像データに加算することにより画像復号データを得て出力する加算手順と、
該加算手順で出力された画像復号データをフレームイメージで水平方向に連続する水平方向画素データ列に分割し、該水平方向画像データ列に対して画像圧縮処理を行って圧縮画像データを得る画像圧縮手順と、
該画像圧縮手順で得られた圧縮画像データの内、ピクチャタイプがフレーム内符号化画面および前方向予測符号化画面の圧縮画像データをフレーム内符号化・前方向予測符号化ピクチャ用圧縮画像データ格納手段に格納するフレーム内符号化・前方向予測符号化ピクチャ用圧縮画像データ格納手順と、
前記画像圧縮手順で得られた圧縮画像データの内、ピクチャタイプが双方向予測符号化画面の圧縮画像データを双方向予測符号化ピクチャ用圧縮画像データ格納手段に格納する双方向予測符号化ピクチャ用圧縮画像データ格納手順と、
前記フレーム内符号化・前方向予測符号化ピクチャ用圧縮画像データ格納手段および前記双方向予測符号化ピクチャ用圧縮画像データ格納手段に格納されている圧縮画像データを元の画面順に取り込み、画像伸張処理を行いラスタスキャンデータを得る画像伸張手順とを含むことを特徴とする復号画像変換プログラムを記録したコンピュータ読み取り可能な情報記録媒体。
【手続補正５】
【補正対象書類名】明細書
【補正対象項目名】請求項１５
【補正方法】変更
【補正の内容】
【請求項１５】
ピクチャタイプに応じて画面を並べ替えた後量子化および直交変換により符号化された画像符号化データを取り込み、逆量子化および逆直交変換を行い画像復号データを得る逆変換手順と、
ピクチャタイプがフレーム内符号化画面および前方向予測符号化画面の画像復号データをメモリ手段の２つの格納領域に格納する格納手順と、
前記逆変換手順でフレーム内符号化画面の画像データが得られたとき、該画像データを画像復号データとして前記メモリ手段の格納領域に格納し、前方向予測符号化画面の画像データが得られたとき、該前方向予測符号化画面の前方に位置するフレーム内符号化画面または前方向予測符号化画面の画像復号データを前記メモリ手段の一方の格納領域から読み出して前記画像データに加算することにより画像復号データを得て前記メモリ手段の他方の格納領域に格納し、ピクチャタイプが双方向予測符号化画面の画像データが得られたとき、前記メモリ手段の２つの格納領域から画像復号データを読み出して平均値を算出し、該平均値を前記画像データに加算することにより画像復号データを得て出力する加算手順と、
前記メモリ手段の格納領域に格納されているフレーム内符号化画面または前方向予測符号化画面の画像復号データを選択して読み出し、一時記憶の後所定のタイミングで読み出してラスタスキャンデータにするタイミング調整手順と、
前記加算手順で出力された双方向予測符号化画面の復号データをラスタスキャンデータにする復号画像変換手順とを含むことを特徴とする復号画像変換プログラムを記録したコンピュータ読み取り可能な情報記録媒体。
【手続補正６】
【補正対象書類名】明細書
【補正対象項目名】００２６
【補正方法】変更
【補正の内容】
【００２６】
また、本発明によれば、ピクチャタイプに応じて画面を並べ替えた後量子化および直交変換により符号化された画像符号化データを取り込み、逆量子化および逆直交変換を行うことにより画像データを生成して出力する逆変換手段と、ピクチャタイプがＩピクチャおよびＰピクチャの画像復号データを格納する２つの格納領域を含むメモリ手段と、逆変換手段からＩピクチャの画像データが出力されたとき、この画像データを画像復号データとして出力すると共にメモリ手段の格納領域に格納し、Ｐピクチャの画像データが出力されたとき、このＰピクチャの前方に位置するＩピクチャまたはＰピクチャの画像復号データをメモリ手段の一方の格納領域から読み出して画像データに加算することにより画像復号データを得て出力すると共にメモリ手段の他方の格納領域に格納し、ピクチャタイプがＢピクチャの画像データが出力されたとき、メモリ手段の２つの格納領域から画像復号データを読み出して平均値を算出し、この平均値を画像データに加算することにより画像復号データを得て出力する加算手段と、加算手段から出力される画像復号データをフレームイメージで水平方向に連続する水平方向画素データ列に分割し、この平方向画像データ列に対して画像圧縮処理を行って圧縮画像データを得る画像圧縮手段と、画像圧縮手段で得られた圧縮画像データの内、ピクチャタイプがＩピクチャおよびＰピクチャの圧縮画像データを格納するフレーム内符号化・前方向予測符号化ピクチャ用圧縮画像データ格納手段と、画像圧縮手段で得られた圧縮画像データの内、ピクチャタイプがＢピクチャの圧縮画像データを格納する双方向予測符号化ピクチャ用圧縮画像データ格納手段と、フレーム内符号化・前方向予測符号化ピクチャ用圧縮画像データ格納手段および双方向予測符号化ピクチャ用圧縮画像データ格納手段に格納されている圧縮画像データを元の画面順に取り込み、画像伸張処理を行いラスタスキャンデータを得る画像伸張手段とを含む。